(57)【要約】      （修正有）【課題】スノーシューズの外側を覆う透明或いは半透明の素材によって、充填物の色を表現することができるスノーシューズの改良構造を提供する。【解決手段】内側包覆層、外側包覆層及び内外の包覆層の間に充填する充填物の３つを縫い合わせて構成するスノーシューズの構造で、シューズ筒内にある羽毛、ダウン、人造繊維（ナイロン或いはポリエステル）、天然繊維或いは充填綿などの充填物の色彩は、透明或いは半透明の外側包覆層から透けて見えるため、斬新なビジュアル、美観効果を具有する。また、スノーシューズの筒内にある充填物は、足を保護し、保温効果を具有するほか、ユーザーの多変な生活スタイルに合わせた面白みのある新鮮感を持たせるなど、ユーザーの購買及び使用意欲を上げる。【選択図】図１
0003160049.tif 000002
【実用新案登録請求の範囲】
【請求項１】
本底、ボックストゥー、カカト、シューズ筒からなるスノーシューズにおいて、
前記本底、該本底の前側上方にボックストゥー、後方にカカト、ボックストゥーとカカトと繋がるシューズ筒を設け、
該スノーシューズのシューズ筒は内側包覆層、外側包覆層及び、内外包覆層の間に充填する充填物の３つを縫い合わせ、
該充填物は羽毛、ダウン、ポリエステル綿、人造繊維、天然繊維、或いは、羽毛にダウンを付加混合した成分のうち、一種類或いはこれらを所定量で混合したものであり、
前記外側包覆層は透明或いは半透明の材質であり、前記充填物のうち羽毛、ダウン、ポリエステル綿、人造繊維、天然繊維に色を付け、該色彩が透明或いは半透明の外側包覆層より外から充填物が透けて見えるようにしたことを特徴とするスノーシューズの構造。
【請求項２】
前記外側包覆層はプリント加工、シーレー加工或いはフロッキープリントのいずれかを施し、透明或いは半透明の外側包覆層に模様を具有することを特徴とする請求項１記載のスノーシューズの構造。
【請求項３】
前記外側包覆層の内側に、透明或いは半透明材質の防湿通気フィルムを貼合し、且つ、外側包覆層の密度が低いとき、ダウンなどの比較的細かい繊維の充填物が出るのを防止することを特徴とする請求項１記載のスノーシューズの構造。
【請求項４】
前記内側包覆層は、内側に一重の不織布を設置し、内側包覆層の外側に通気フィルムを貼合することを特徴とする請求項１記載のスノーシューズの構造。
【請求項５】
前記の充填物、羽毛、ダウン、人造繊維、天然繊維或いはポリエステル綿を単色或いは複数の色に染めたことを特徴とする請求項１記載のスノーシューズの構造。
【請求項６】
前記外側包覆層は、少なくとも人造繊維、熱可塑性ポリウレタン、ポリウレタン或いはポリ塩化ビニルのいずれかを使用したことを特徴とする請求項１記載のスノーシューズの構造。
【請求項７】
前記内側包覆層は生地あるいは不織布を使用することを特徴とする請求項１記載のスノーシューズの構造。
【考案の詳細な説明】
【技術分野】
【０００１】
本考案はスノーシューズの改良構造に関し、特にスノーシューズ内の充填物に色を付け、外側の素材を透明或いは半透明のものにすることで、斬新なビジュアルを見せることができ、且つ面白みのある新鮮感を持たせ、美観的効果を持つスノーシューズの改良構造に関する。
【背景技術】
【０００２】
従来技術のスノーシューズは、特許文献１等に開示されていいるように、単純で可塑性PVCまたはTPR(熱可塑性ゴム)で一体に成型して製造され、無味乾燥な外観を呈していた。機能的には、足の保護と保温機能を備えるが、時代が進むにつれ、スノーシューズのみの使用機能や形状の変化だけでは、時代の流れにそぐわなくなったため、生活スタイルの多様化に合わせて、絶えず新しいものを案出する必要があった。
【先行技術文献】
【特許文献】
【０００３】
【特許文献１】実用新案登録第３１３４４８７号公報
【考案の概要】
【考案が解決しようとする課題】
【０００４】
前記従来技術の構造を改良するために、本考案の第１の目的は、スノーシューズの外側を覆う透明或いは半透明の素材によって、充填物の色を表現することができるスノーシューズの改良構造を提供することにある。
本考案の第２の目的は、スノーシューズの従来の機能のほかに、ユーザーの多変な生活スタイルに合わせて面白みのある新鮮感を持たせるなど、ユーザーの購買及び使用意欲を上げるスノーシューズの構造を提供することにある。
【課題を解決するための手段】
【０００５】
前記課題を解決するために、本考案はスノーシューズの構造を提供するものである。本考案のスノーシューズの内部に羽毛やダウン、天然繊維、人造繊維或いは充填綿など充填物の色彩は、スノーシューズの外側を覆う透明或いは半透明の素材を通して表現することができ、斬新なビジュアル効果と美観を具有する。
【０００６】
また、スノーシューズの内部に充填するものは、通常のスノーシューズのように、足の保護及び保温機能を具有するほか、ユーザーの多変な生活スタイルに合わせられる面白みのある新鮮感を持たせることで、ユーザーの購買及び使用意欲を上げる。
【０００７】
すなわち、請求項１の考案は、本底、ボックストゥー、カカト、シューズ筒からなるスノーシューズにおいて、前記本底、該本底の前側上方にボックストゥー、後方にカカト、ボックストゥーとカカトと繋がるシューズ筒を設け、該スノーシューズのシューズ筒は内側包覆層、外側包覆層及び、内外包覆層の間に充填する充填物の３つを縫い合わせ、該充填物は羽毛、ダウン、ポリエステル綿、人造繊維、天然繊維、或いは、羽毛にダウンを付加混合した成分のうち、一種類或いはこれらを所定量で混合したものであり、前記外側包覆層は透明或いは半透明の材質であり、前記充填物のうち羽毛、ダウン、ポリエステル綿、人造繊維、天然繊維に色を付け、該色彩が透明或いは半透明の外側包覆層より外から充填物が透けて見えるようにしたことを特徴とするスノーシューズの構造である。
なお、本考案の充填物について、後述すように、実施例での説明では羽毛とダウンの混合物について説明する。
【０００８】
請求項２の考案は、請求項１記載のスノーシューズの構造において、前記外側包覆層はプリント加工、シーレー加工或いはフロッキープリントのいずれかの加工を施し、透明或いは半透明の外側包覆層に模様を具有することを特徴とする。
請求項３の考案は、請求項１記載のスノーシューズの構造において、前記外側包覆層の内側に、透明或いは半透明材質の防湿通気フィルムを貼合し、且つ、外側包覆層の密度が低いとき、ダウンなどの比較的細かい繊維の充填物が出るのを防止することを特徴とする。
請求項４の考案は、請求項１記載のスノーシューズの構造において、前記内側包覆層は、内側に一重の不織布を設置し、内側包覆層の外側に通気フィルムを貼合することを特徴とする。
【０００９】
請求項５の考案は、請求項１記載のスノーシューズの構造において、前記の充填物、羽毛、ダウン、人造繊維、天然繊維或いはポリエステル綿を単色或いは複数の色に染めたことを特徴とする。
請求項６の考案は、請求項１記載のスノーシューズの構造において、前記外側包覆層は、少なくとも人造繊維、熱可塑性ポリウレタン、ポリウレタン或いはポリ塩化ビニルのいずれかを使用したことを特徴とする。
請求項７の考案は、請求項１記載のスノーシューズの構造において、前記内側包覆層は生地あるいは不織布を使用することを特徴とする。
【考案の効果】
【００１０】
本考案のスノーシューズによれば、足を保護し、保温効果を具有するほか、更にシューズ筒内の羽毛、ダウン、人造繊維、天然繊維或いはポリエステル綿などの充填物の色彩を、透明或いは半透明の外層より現すことができ、ユーザーの多変な生活スタイルに合わせられる面白みのある新鮮感を持たせることで、ユーザーの購買及び使用意欲を上げる。
【図面の簡単な説明】
【００１１】
【図１】本考案の実施例の立体図である。
【図２】本考案の実施例の一部断面拡大略図である。
【図３】本考案の実施例のシューズ筒の外側包覆層に具有する防湿通気フィルムの一部断面拡大略図である。
【図４】本考案の実施例のシューズ筒の内側包覆層に貼合した不織布層の一部断面拡大略図である。
【図５】本考案の実施例のシューズ筒の内側包覆層に不織布層、外側に通気性のあるフィルムを貼合し、それの一部断面拡大略図である。
【考案を実施するための形態】
【実施例】
【００１２】
図１、図２に示すように、本考案のスノーシューズの改良した構造の実施例である。該スノーシューズ１に含まれるのは本底(靴底部分)１０、本底１０の前側上方にボックストゥー１２、後方にカカト１３、ボックストゥー１２とカカト１３と繋がるシューズ筒１１から構成されている。
【００１３】
前記スノーシューズ１のシューズ筒１１は、内側包覆層１１２、外側包覆層１１１及び、内外包覆層１１１、１１２の間に充填する充填物の３つを縫い合わせて構成するものである。前記充填物は羽毛（Feather）２１（図２を参照）、ダウン(Down)２２、ポリエステル綿(Polyfill)（図示せず）、人造繊維（ナイロン或いはポリエステル繊維など）（図示せず）、天然繊維、或いは、羽根２１にダウン２２を付加して混合した(羽根＋ダウン)混合物などの成分のうち、一つ或いは前記のものを混合したものである。本実施例の充填物は羽毛２１とダウン２２を例として説明する。
前述した外側包覆層１１１は透明或いは半透明の材質であり、前記充填物の羽毛２１、ダウン２２に必要な色を付けると、該色彩が透明或いは半透明の外側包覆層１１１より外から透けて見えるため、充填物の形や色を表現することができ、斬新なビジュアル効果を具有する（図１の立体図を参照）。また、購入する消費者にとって、充填物が透けて見えるため、面白みのある新鮮感を持たせることで、人の注意力を引き、購入、使用する意欲を上げることができる。
【００１４】
更に、前記外側包覆層１１１はプリント（Printing）加工（図示せず）、シーレー  （Cire)加工（図示せず）、或いは、フロッキープリント（Flocking)加工（図示せず）を選択することで、透明或いは半透明の外側包覆層１１１に模様が付き、前記の色つき羽毛２１、ダウン２２などの充填物に更なる外観の美しさを上げる。  
【００１５】
図３に示すように、前記外側包覆層１１１の内側にも、別に透明或いは半透明材質の防湿通気フィルム１１１１(Waterproof- Breathable Film)を貼合することができ、且つ、外側包覆層１１１の密度が低い（本数が比較的少ない）とき、ダウン２２など、比較的細かい繊維の充填物が出るのを防止する効果を持つ。
【００１６】
図４に示すように、前記内側包覆層１１２は更に内側に一重の不織布１１２２を設置することができる。
更に、図５に示すように、内側包覆層１１２の外側に通気フィルム(通気性薄膜)１１２３を貼合することができる。
【００１７】
前記の充填物、羽毛２１、ダウン２２、人造繊維（ナイロン或いはポリエステル繊維など）（図示せず）、天然繊維或いはポリエステル綿（図示せず）を単色或いは一つ以上の色に染めることができ、多変な色で変化に富むビジュアル効果を作る。
【００１８】
更に前記外側包覆層１１１は人造繊維（ナイロン繊維或いはポリエステル繊維）、熱可塑性ポリウレタン(Thermoplastic Polyurethance、略称ＴＰＵ）、ポリウレタン（Polyurethance、略称ＰＵ）或いはポリ塩化ビニル（Polyvinyl Chloride、略称ＰＶＣ）を使用することができる。
【００１９】
更に、前記内側包覆層１１２は不織布或いは、天然繊維生地、人造繊維生地、人造繊維と天然繊維を織り交ぜた生地などを使用することができる。
【００２０】
本考案の本実施例が具有するメリットは：
（１）スノーシューズ１は足を保護し、保温効果を具有するほか、更にシューズ筒１１内の羽毛２１、ダウン２２、人造繊維（ナイロン繊維或いはポリエステル繊維など）、天然繊維或いはポリエステル綿などの充填物の色彩を、透明或いは半透明の外層１１１より充填物を表現する外観とすることができ、斬新なビジュアル効果と美観効果を具有する。
（２）スノーシューズ１のシューズ筒１１が、上記のような充填物を表現する外観とする面白みのある新鮮感を持たせることで、多変する生活スタイルに合わせ、ユーザーの購買及び使用意欲を上げる。
なお、本考案の特徴を損なうものでなければ、上記の実施例に限定されないことは勿論である。
【符号の説明】
【００２１】
１  スノーシューズ
１０  本底（靴底部分)
１１  シューズ筒
１１１  外側包覆層
１１２  内側包覆層
１１２２  不織布
１１２３  通気フィルム(通気性薄膜)
１２  ボックストゥー
１３  カカト
２１  羽毛
２２  ダウン
【図１】
0003160049.tif 000003
【図２】
0003160049.tif 000004
【図３】
0003160049.tif 000005
【図４】
0003160049.tif 000006
【図５】
0003160049.tif 000007